(57)【要約】【課題】一度ＲＩＰ処理した後に一部ページを差し替えて印刷する際、差し替え対象ページのみをＲＩＰ処理して印刷できる印刷システムを提供する。【解決手段】印刷装置がジョブチケットを発行する。印刷データ作成装置において、当該ジョブチケットの内容に差し替え用のページデータの情報を追記し、差し替え用のページデータと共にこれを印刷装置に送信する。印刷装置では、受け取った差し替え用のページデータのみに新たにＲＩＰ処理を施し、さらに、ジョブチケットに従って、差替処理後の印刷を実行する。差し替えに無関係の印刷データの再ＲＩＰ処理が不要になるので、処理の効率化とコストダウンとが実現される。【選択図】　　　　図５
2004078761.tif 000002
【特許請求の範囲】
【請求項１】
ページ単位で印刷物のレイアウトを作成するレイアウト作成手段と、
レイアウトされた複数のページについてページ配列処理を行うページ配列処理手段と、
を備え、印刷用データを作成する印刷データ作成装置と、
印刷用データをラスタライズ処理するラスタライズ処理手段と、
ラスタライズ処理された印刷用データを格納する記憶手段と、
を備え、ラスタライズ処理された印刷用データに基づいて印刷物の印刷を行う印刷装置と、
を備える印刷システムであって、
前記印刷装置は、
前記記憶手段に記憶された第１の印刷用データに基づいて、第１の印刷物の印刷を行う際の設定情報が記述された第１ジョブチケットを発行するジョブチケット発行手段、
をさらに備え、
前記印刷データ作成装置は、
前記第１ジョブチケットを取得するジョブチケット取得手段、
をさらに備え、
前記第１ジョブチケットの記述内容を参照することにより前記ページ配列処理手段がラスタライズ処理済みの第１の印刷用データに基づいてページ再配列処理を行うことが可能とされており、
かつ、
前記ページ再配列処理の結果に基づいて前記第１ジョブチケットの内容を書き換えて、第２の印刷物を印刷する際の設定情報が記述された第２ジョブチケットを作成するジョブチケット更新手段、
をさらに備え、
前記印刷装置が、前記第２ジョブチケットを参照して前記第２の印刷物の印刷を実行する、
ことを特徴とする印刷システム。
【請求項２】
請求項１に記載の印刷システムであって、
前記第２ジョブチケットを参照した結果、前記第２の印刷物に前記第１の印刷物には含まれない新たなページが含まれることとなった場合に、前記印刷装置が前記新たなページに相当するページデータについてラスタライズ処理を行うことを特徴とする印刷システム。
【請求項３】
請求項２に記載の印刷システムであって、
前記印刷データ作成装置と前記印刷装置とが、ネットワークを介して互いに接続されており、前記印刷データ作成装置と前記印刷装置との間のデータの授受が前記ネットワークを介して行われることを特徴とする印刷システム。
【請求項４】
請求項３に記載の印刷システムであって、
前記印刷装置が、前記ラスタライズ処理されたデータに基づきページ単位でサムネール画像を生成するサムネール生成手段、
をさらに備え、
前記印刷データ作成装置は、前記ネットワーク経由で前記サムネール画像を取得し、前記ページ配列処理手段における前記ページ配列処理および前記ページ再配列処理が前記サムネール画像を利用して行われることを特徴とする印刷システム。
【請求項５】
請求項１ないし請求項４のいずれかに記載の印刷システムであって、
前記ページ配列処理およびページ再配列処理が、前記第１の印刷物の少なくとも１ページを差し替え用ページデータと差し替える差替処理であることを特徴とする印刷システム。
【請求項６】
ページ単位で印刷物のレイアウトを作成することにより印刷用データを作成する印刷データ作成装置と、
印刷用データをラスタライズ処理して印刷を行う印刷装置と、
を備える印刷システムであって、
前記印刷装置は、
ラスタライズ処理された印刷用データを格納する記憶手段と、
前記記憶手段に記憶された印刷用データに基づいて、第１の印刷物の印刷を行う際の設定情報が記述された第１ジョブチケットを発行するジョブチケット発行手段と、
を備え、
前記印刷データ作成装置は、
前記第１の印刷物の少なくとも１ページを差し替え用ページデータと差し替える差替処理を行うページ差替処理手段と、
前記第１ジョブチケットを取得するジョブチケット取得手段と、
前記差替処理の結果に基づいて、前記第１ジョブチケットに差替処理に関する情報を追記して第２ジョブチケットを生成するジョブチケット更新手段と、
を備え、
前記印刷装置は、前記第２ジョブチケットと前記差し替え用ページデータとを取得し、前記第２ジョブチケットの記述内容に従って、前記印刷用データと前記差し替え用ページデータとから第２の印刷物の印刷を行うことを特徴とする印刷システム。
【請求項７】
請求項６に記載の印刷システムであって、
前記印刷装置が、第２の印刷物の印刷に際して、前記差し替え用ページデータのみをラスタライズ処理することを特徴とする印刷システム。
【請求項８】
ページ単位で印刷物のレイアウトを作成することにより印刷用データを作成する印刷データ作成装置であって、
対応する印刷用データがすでにラスタライズ処理されている第１の印刷物の少なくとも１ページを差し替え用ページデータと差し替える差替処理を行うページ差替処理手段と、
第１の印刷物の印刷を行う際の設定情報が記述された第１ジョブチケットを取得するジョブチケット取得手段と、
前記差替処理の結果に基づいて、前記第１ジョブチケットに差替処理に関する情報を追記して第２ジョブチケットを生成するジョブチケット更新手段と、
を備えることを特徴とする印刷データ作成装置。
【請求項９】
請求項８に記載の印刷データ作成装置であって、
前記差替処理手段における前記差替処理がサムネール画像を利用して行われることを特徴とする印刷データ作成装置。
【請求項１０】
印刷用データをラスタライズ処理して印刷を行う印刷装置であって、
ラスタライズ処理された印刷用データを格納する記憶手段と、
前記記憶手段に記憶された印刷用データに基づいて、第１の印刷物の印刷を行う際の設定情報が記述された第１ジョブチケットを発行するジョブチケット発行手段と、
を備え、
所定の印刷データ作成装置において行われる差替処理に関する情報が前記第１ジョブチケットに追記されることにより生成される第２ジョブチケットと、前記差替処理における差し替え用ページデータとを取得し、前記第２ジョブチケットの記述内容に従って、前記印刷用データと前記差し替え用ページデータとから前記第２の印刷物の印刷を行うことを特徴とする印刷装置。
【請求項１１】
請求項１０に記載の印刷装置であって、
前記第２の印刷物の印刷に際して、前記差し替え用ページデータのみをラスタライズ処理することを特徴とする印刷装置。
【請求項１２】
請求項１１に記載の印刷装置であって、
前記印刷用データから前記第１の印刷物の各ページごとのサムネール画像を生成するサムネール生成手段、
をさらに備えることを特徴とする印刷装置。
【請求項１３】
印刷物の一部をページ単位で差し替えて印刷する方法であって、
第１の印刷物を最初に印刷する際にラスタライズ処理され、その後、所定の記憶手段に記憶されている印刷用データに基づいて、前記第１の印刷物の印刷を行う際の設定情報が記述された第１ジョブチケットを発行するジョブチケット発行工程と、
前記第１の印刷物の少なくとも１ページを差し替え用ページデータと差し替える差替処理を行うページ差替処理工程と、
前記差替処理の結果に基づいて、前記第１ジョブチケットに差替処理に関する情報を追記して第２ジョブチケットを生成するジョブチケット更新工程と、
前記差し替え用ページデータをラスタライズ処理するラスタライズ処理工程と、
前記第２ジョブチケットの記述内容に従って、前記印刷用データとラスタライズ処理された前記差し替え用ページデータとから前記第２の印刷物の印刷を行う印刷工程と、
を備えることを特徴とする印刷データ差し替え方法。
【請求項１４】
コンピュータにおいて実行されることにより、前記コンピュータを請求項１ないし請求項９のいずれかの印刷データ作成装置として機能させることを特徴とするプログラム。
【請求項１５】
コンピュータにおいて実行されることにより、請求項１ないし請求項５のいずれかの印刷データ作成装置においてページ再配列処理を可能とすることを特徴とするプログラム。
【請求項１６】
コンピュータにおいて実行されることにより、前記コンピュータを請求項１ないし請求項７、請求項１０、および請求項１２のいずれかの印刷装置として実現させることを特徴とするプログラム。
【発明の詳細な説明】
【０００１】
【発明の属する技術分野】
本発明は、複数ページからなる印刷物の作成を行う際に、一部ページを差し替える場合の処理効率を向上する技術に関する。
【０００２】
【従来の技術】
ＤＴＰ（Ｄｅｓｋ　Ｔｏｐ　Ｐｕｂｌｉｓｈｉｎｇ）技術の進展により、多数ページからなる印刷物を作成する際の入稿原稿として、例えばＰＤＦ（Ｐｏｒｔａｂｌｅ　Ｄｏｃｕｍｅｎｔ　Ｆｏｒｍａｔ）形式のデータなど、ページ記述言語により記述されたデジタルデータが、使用されることが一般的になっている。一方、印刷装置の側でも、例えば電子写真方式と呼ばれる方式を用いたプリンタなど、入稿したデジタルデータをラスタライズ処理（ＲＩＰ処理）した後、直接に印刷を行うことが可能な、いわゆるデジタル印刷機が普及している。こうしたデジタル印刷機は、従来のように刷版を使用しないので、多ページかつ小ロットの印刷物の作成を、比較的低コストで行えることから、オンデマンド印刷の用途に好適である。
【０００３】
【発明が解決しようとする課題】
多ページからなる印刷物の場合、その全体構成や、主たる記載内容を変更する必要はないものの、最初の発行日から時間が経ってその一部の記載内容が実体と合わなくなるなどの理由により、部分的な改訂が必要となることが少なくない。例えば、商品カタログなどの企業が継続的に発行する印刷物や、各種のマニュアルなど、利用対象が限定されるが故にオンデマンド印刷で作成されることが多い印刷物における当該企業の名称や所在地等の記載は、社名変更や工場の新設等があると、本質的な内容には関係ないものの、対外的な信用の維持等の観点から、できるだけ速やかに変更後の内容に差し替えることが望ましい。
【０００４】
デジタルデータにて入稿を行って、デジタル印刷機において印刷を行う場合、一度ＲＩＰ処理して印刷に用いられたデータは、多くの場合は再利用可能な状態で保存されている。従って、上記のような場合も、本来ならば差し替えるべきページ以外は、そのまま再度印刷に用いることができるはずである。しかしながら、入稿データ全体が１つのデータを構成しているために、従来は、たとえ１ページのみの部分的な差し替えであっても、差し替えに関係しないページも含めた全ページ分について、再度ＲＩＰ処理を行う必要があった。例えば、これは処理効率の観点からは無駄であり、コスト高の要因となっていた。
【０００５】
本発明は、上記課題に鑑みてなされたものであり、差し替え対象となったページのみをＲＩＰ処理して差し替え後の印刷物を作成できる印刷システムを提供することを目的とする。
【０００６】
【課題を解決するための手段】
上記課題を解決するため、請求項１の発明は、ページ単位で印刷物のレイアウトを作成するレイアウト作成手段と、レイアウトされた複数のページについてページ配列処理を行うページ配列処理手段と、を備え、印刷用データを作成する印刷データ作成装置と、印刷用データをラスタライズ処理するラスタライズ処理手段と、ラスタライズ処理された印刷用データを格納する記憶手段と、を備え、ラスタライズ処理された印刷用データに基づいて印刷物の印刷を行う印刷装置と、を備える印刷システムであって、前記印刷装置は、前記記憶手段に記憶された第１の印刷用データに基づいて、第１の印刷物の印刷を行う際の設定情報が記述された第１ジョブチケットを発行するジョブチケット発行手段、をさらに備え、前記印刷データ作成装置は、前記第１ジョブチケットを取得するジョブチケット取得手段、をさらに備え、前記第１ジョブチケットの記述内容を参照することにより前記ページ配列処理手段がラスタライズ処理済みの第１の印刷用データに基づいてページ再配列処理を行うことが可能とされており、かつ、前記ページ再配列処理の結果に基づいて前記第１ジョブチケットの内容を書き換えて、第２の印刷物を印刷する際の設定情報が記述された第２ジョブチケットを作成するジョブチケット更新手段、をさらに備え、前記印刷装置が、前記第２ジョブチケットを参照して前記第２の印刷物の印刷を実行する、ことを特徴とする。
【０００７】
また、請求項２の発明は、請求項１に記載の印刷システムであって、前記第２ジョブチケットを参照した結果、前記第２の印刷物に前記第１の印刷物には含まれない新たなページが含まれることとなった場合に、前記印刷装置が前記新たなページに相当するページデータについてラスタライズ処理を行うことを特徴とする。
【０００８】
また、請求項３の発明は、請求項２に記載の印刷システムであって、前記印刷データ作成装置と前記印刷装置とが、ネットワークを介して互いに接続されており、前記印刷データ作成装置と前記印刷装置との間のデータの授受が前記ネットワークを介して行われることを特徴とする。
【０００９】
また、請求項４の発明は、請求項３に記載の印刷システムであって、前記印刷装置が、前記ラスタライズ処理されたデータに基づきページ単位でサムネール画像を生成するサムネール生成手段、をさらに備え、前記印刷データ作成装置は、前記ネットワーク経由で前記サムネール画像を取得し、前記ページ配列処理手段における前記ページ配列処理および前記ページ再配列処理が前記サムネール画像を利用して行われることを特徴とする。
【００１０】
また、請求項５の発明は、請求項１ないし請求項４のいずれかに記載の印刷システムであって、前記ページ配列処理およびページ再配列処理が、前記第１の印刷物の少なくとも１ページを差し替え用ページデータと差し替える差替処理であることを特徴とする。
【００１１】
また、請求項６の発明は、ページ単位で印刷物のレイアウトを作成することにより印刷用データを作成する印刷データ作成装置と、印刷用データをラスタライズ処理して印刷を行う印刷装置と、を備える印刷システムであって、前記印刷装置は、ラスタライズ処理された印刷用データを格納する記憶手段と、前記記憶手段に記憶された印刷用データに基づいて、第１の印刷物の印刷を行う際の設定情報が記述された第１ジョブチケットを発行するジョブチケット発行手段と、を備え、前記印刷データ作成装置は、前記第１の印刷物の少なくとも１ページを差し替え用ページデータと差し替える差替処理を行うページ差替処理手段と、前記第１ジョブチケットを取得するジョブチケット取得手段と、前記差替処理の結果に基づいて、前記第１ジョブチケットに差替処理に関する情報を追記して第２ジョブチケットを生成するジョブチケット更新手段と、を備え、前記印刷装置は、前記第２ジョブチケットと前記差し替え用ページデータとを取得し、前記第２ジョブチケットの記述内容に従って、前記印刷用データと前記差し替え用ページデータとから第２の印刷物の印刷を行うことを特徴とする。
【００１２】
また、請求項７の発明は、請求項６に記載の印刷システムであって、前記印刷装置が、第２の印刷物の印刷に際して、前記差し替え用ページデータのみをラスタライズ処理することを特徴とする。
【００１３】
また、請求項８の発明は、ページ単位で印刷物のレイアウトを作成することにより印刷用データを作成する印刷データ作成装置であって、対応する印刷用データがすでにラスタライズ処理されている第１の印刷物の少なくとも１ページを差し替え用ページデータと差し替える差替処理を行うページ差替処理手段と、第１の印刷物の印刷を行う際の設定情報が記述された第１ジョブチケットを取得するジョブチケット取得手段と、前記差替処理の結果に基づいて、前記第１ジョブチケットに差替処理に関する情報を追記して第２ジョブチケットを生成するジョブチケット更新手段と、を備えることを特徴とする。
【００１４】
また、請求項９の発明は、請求項８に記載の印刷データ作成装置であって、前記差替処理手段における前記差替処理がサムネール画像を利用して行われることを特徴とする。
【００１５】
また、請求項１０の発明は、印刷用データをラスタライズ処理して印刷を行う印刷装置であって、ラスタライズ処理された印刷用データを格納する記憶手段と、前記記憶手段に記憶された印刷用データに基づいて、第１の印刷物の印刷を行う際の設定情報が記述された第１ジョブチケットを発行するジョブチケット発行手段と、を備え、所定の印刷データ作成装置において行われる差替処理に関する情報が前記第１ジョブチケットに追記されることにより生成される第２ジョブチケットと、前記差替処理における差し替え用ページデータとを取得し、前記第２ジョブチケットの記述内容に従って、前記印刷用データと前記差し替え用ページデータとから前記第２の印刷物の印刷を行うことを特徴とする。
【００１６】
また、請求項１１の発明は、請求項１０に記載の印刷装置であって、前記第２の印刷物の印刷に際して、前記差し替え用ページデータのみをラスタライズ処理することを特徴とする。
【００１７】
また、請求項１２の発明は、請求項１１に記載の印刷装置であって、前記印刷用データから前記第１の印刷物の各ページごとのサムネール画像を生成するサムネール生成手段、をさらに備えることを特徴とする。
【００１８】
また、請求項１３の発明は、印刷物の一部をページ単位で差し替えて印刷する方法であって、第１の印刷物を最初に印刷する際にラスタライズ処理され、その後、所定の記憶手段に記憶されている印刷用データに基づいて、前記第１の印刷物の印刷を行う際の設定情報が記述された第１ジョブチケットを発行するジョブチケット発行工程と、前記第１の印刷物の少なくとも１ページを差し替え用ページデータと差し替える差替処理を行うページ差替処理工程と、前記差替処理の結果に基づいて、前記第１ジョブチケットに差替処理に関する情報を追記して第２ジョブチケットを生成するジョブチケット更新工程と、前記差し替え用ページデータをラスタライズ処理するラスタライズ処理工程と、前記第２ジョブチケットの記述内容に従って、前記印刷用データとラスタライズ処理された前記差し替え用ページデータとから前記第２の印刷物の印刷を行う印刷工程と、を備えることを特徴とする。
【００１９】
また、請求項１４の発明は、コンピュータにおいて実行されることにより、前記コンピュータを請求項１ないし請求項９のいずれかの印刷データ作成装置として機能させることを特徴とする。
【００２０】
また、請求項１５の発明は、コンピュータにおいて実行されることにより、請求項１ないし請求項５のいずれかの印刷データ作成装置においてページ再配列処理を可能とすることを特徴とする。
【００２１】
また、請求項１６の発明は、コンピュータにおいて実行されることにより、前記コンピュータを請求項１ないし請求項７、請求項１０、および請求項１２のいずれかの印刷装置として実現させることを特徴とする。
【００２２】
【発明の実施の形態】
＜システム構成＞
図１は、本発明の実施の形態に係る印刷システム１の構成の概略を示す図である。印刷システム１は、文書データや写真原稿データ、線画データ等を用いて作成しようとする印刷物のページごとのレイアウトを行い、レイアウトされた各ページの配列を決定して印刷データの作成を行うことができる、印刷データ作成装置２と、作成された印刷データをラスタライズ処理（ＲＩＰ処理）した後、所定の印刷用紙に印刷する印刷装置３とを備える。
【００２３】
印刷データ作成装置２は、汎用のパーソナルコンピュータによって実現されるものである。すなわち、印刷データ作成装置２には、ＣＰＵ２１ａ、ＲＯＭ２１ｂ、およびＲＡＭ２１ｃから構成され、後述する各機能を実現する制御部２１、ハードディスクなどにより構成され、デジタルカメラから受け取った写真データなどを保存するための記憶部２２、オペレータが各種の指示を入力するためのマウス２３ａやキーボード２３ｂなどからなる操作部２３、ディスプレイ等の表示部２４、種々の可搬性の記録媒体との間でデータのリード／ライトを行うためのＲ／Ｗ部２５、および他の装置等との間でデータの受け渡しを行うためのインターフェースとしての通信部２６が主として備わっている。
【００２４】
印刷装置３は、印刷データ作成装置２と同様に、ＣＰＵ３１ａ、ＲＯＭ３１ｂ、およびＲＡＭ３１ｃから構成され、後述する各機能を実現する制御部３１、記憶部３２、マウス３３ａやキーボード３３ｂなどからなる操作部３３、表示部３４、Ｒ／Ｗ部３５、および通信部３６など、コンピュータによりその機能が実現される各部を備えているのに加えて、さらに、所定の印刷用紙に印刷を行う印刷部３７を備えている。印刷部３７は、印刷用紙を供給する給紙部３７ａ、印刷レイアウトに対応させてトナーを印刷用紙に付着させる現像部３７ｂ、加熱および加圧によってトナーを溶融し像を形成させる定着部３７ｃ、および印刷像が形成された印刷済の用紙をストックする排紙部３７ｄ等を備えている。印刷装置３については、給紙部３７ａが複数備わり、それぞれが異なる用紙サイズを有する複数種類の用紙を供給できる態様であってもよい。また、現像部３７ｂおよび定着部３７ｃが、それぞれ２つずつ備わり、印刷用紙に対し両面印刷を行える態様であってもよい。さらには、印刷物の種類に応じて排紙先を変えられるように、排紙部３７ｄが複数備わる態様であってもよい。
【００２５】
なお、印刷データ作成装置２と印刷装置３とはいずれも、通信部２６および３６を介してＬＡＮ（Ｌｏｃａｌ　Ａｒｅａ　Ｎｅｔｗｏｒｋ）などのネットワークＮに接続されている。両者の間のデータの受け渡しは、このネットワークＮを介して行われる。あるいは、Ｒ／Ｗ部２５および３５においてそれぞれリード／ライト可能な可搬性の記録媒体を介して行われる態様であってもよい。
【００２６】
図２は、印刷データ作成装置２の制御部２１において実現される機能を説明するための図である。制御部２１においては、記憶部２２に記憶されている所定のプログラム２２ａおよび２２ｂが実行されることにより、ＣＰＵ２１ａ、ＲＯＭ２１ｂ、およびＲＡＭ２１ｃの作用によって、ページレイアウト部４と、ページ配列処理部５と、ジョブチケット処理部６とが実現される。なお、ページレイアウト部４およびページ配列処理部５の主たる機能は、いわゆるレイアウトソフトウェアであるプログラム２２ａにより実現されるものとする。また、ジョブチケット処理部６を含むいくつかの機能は、プログラム２２ｂにより実現されるものとする。また、プログラム２２ｂは、プログラム２２ａに対するプラグインプログラムとして実行されるものとする。
【００２７】
また、印刷データ作成装置２においては、表示部２４にて編集中の印刷データなどをサムネール画像等を用いて表示させつつ、オペレータがマウス２３ａにより該サムネール画像をドラッグアンドドロップ操作するなどの所定の操作にて指示を与えることにより、印刷物のレイアウトを行うことができる、いわゆるＧＵＩ（Ｇｒａｐｈｉｃａｌ　Ｕｓｅｒ　Ｉｎｔｅｒｆａｃｅ）が、制御部２１、操作部２３、表示部２４の機能により実現されている。制御部２１に実現される各部の処理も、このＧＵＩを用いて行われる。
【００２８】
ページレイアウト部４は、印刷物の各ページごとにその編集状態を表示部２４に表示させつつ、印刷物を構成する各要素（文字、写真、線画）に対応するオブジェクトデータをレイアウト処理するために備わる。例えば、文字原稿の流し込みやフォント・段落の設定、写真原稿の拡大・縮小や色補正、線画の描画などがこれに該当する。印刷物のレイアウトは、記憶部２２に保存されている種々のオブジェクトをマウス２３ａによりドラッグアンドドロップによって所望の位置へと配置することにより、あるいは、マウス２３ａないしはキーボード２３ｂにて直接にデータを作成・入力することにより行われる。
【００２９】
なお、印刷データは、必ずしもそのデータの記述内容そのものにオブジェクトの内容を含むとは限らない。それに代わり、レイアウトしているページにおいてレイアウト対象となった各オブジェクトの配置位置（座標）やサイズ（幅、高さ）、姿勢（角度）などのレイアウト情報と、それぞれのオブジェクトデータのファイル名や格納場所を当該印刷データと関連付ける関連付け情報と、各ページの配列に関するページ配列情報との組合せとして、印刷データが記述される場合がある。この場合には、そうした意味での印刷データと、レイアウト対象となったオブジェクトデータとの組が、印刷に必要なデータ（印刷用データ）として印刷装置３に受け渡されることになる。本明細書においては、こうした場合も含め、印刷を実行するために印刷データ作成装置２から印刷装置３へと受け渡される印刷用データの組を「ジョブデータ」、１つのジョブデータについて実行される印刷処理のことを「ジョブ」と称することとする。
【００３０】
ページ配列処理部５は、複数ページからなる印刷物のジョブデータに対して、ページの差し替え、挿入、削除、入れ換えなど、印刷物におけるページ配列に関する種々のページ配列処理を行うために備わる。ページ配列処理部５においては、新たに作成されたジョブデータのみならず、いったん印刷装置３に送られ、ＲＩＰ処理に供されたジョブデータについても、同様の処理を行うことができる。この場合、いったん完成したジョブデータにより作成される印刷物のページの差し替え、挿入、削除、あるいは入れ換えを行う、つまりはページの再配列処理を行うことになる。ページ配列処理部５は、これらの処理を行うべく、ページ差替処理部５１と、ページ挿入処理部５２と、ページ削除処理部５３と、ページ入換処理部５４と、白紙挿入処理部５５とを備える。
【００３１】
ページ差替処理部５１は、印刷物の任意ページを新たな内容のページと差し替える差替処理を担う。ページ挿入処理部５２は、印刷物の任意のページとページとの間に、新たな内容のページを挿入する挿入処理を担う。ページ削除処理部５３は、印刷物の一ないし複数の任意ページを削除する削除処理を担う。ページ入換処理部５４は、印刷物の任意の２つのページを入れ換えるページ入換処理を担う。白紙挿入処理部５５は、印刷物の任意のページとページとの間に、印刷を行わない一ないし複数の白紙ページを挿入する白紙挿入処理を担う。
【００３２】
さらに、ページ配列処理部５は、これらの処理を行うために、候補ページ情報処理部５６と、サムネール処理部５７とを備える。
【００３３】
候補ページ情報処理部５６は、ページ差替処理部５１によるページ差替処理、およびページ挿入処理部５２によるページ挿入処理に際し、差替あるいは挿入の候補となるページデータに関する情報の選択、保持のための処理を担う。ここでページデータとは、１ないし複数のページを含むデータをいう。差替候補となるページデータのデータ形式は、必ずしもジョブデータのデータ形式と合致していなくてもよい。
【００３４】
サムネール処理部５７は、ページ配列処理部５における種々の処理をＧＵＩにて実現するために、編集対象となっているジョブデータの各ページ、およびページ差替処理あるいはページ挿入処理の対象となっているページデータをサムネール表示するために必要な処理を担う。
【００３５】
ページ配列処理を行う場合、オペレータが所定の手順によって操作部２３を操作することにより与えられる指示に従い、ページ配列処理が実行される。図６は、表示部２４に表示される、ページ配列処理の実行ウィンドウＷを例示的に示す図である。
【００３６】
ページ配列処理に際しては、記憶部２２に記憶されているか、あるいはＲＡＭ２１ｃに一時的に記憶されているジョブデータが、処理対象として選択される。あるいは、後述するジョブチケットを選択することによって、いったんＲＩＰ処理されて印刷装置３に保存されているジョブデータについても処理対象となる。選択されたジョブデータのページ配列情報は、編集用一時データとしてＲＡＭ２１ｃに保持される。そして、サムネール処理部５７によってそのジョブデータの各ページに対するサムネール画像ＳＮ１が生成され、ページ配列情報に従って、表示部２４に表示される実行ウィンドウＷ上の所定の表示領域ＡＲ１に、ページ番号と共にページ順に表示される。また、ページ差替処理およびページ挿入処理に供するための候補ページとしてピックアップされ、候補ページ情報処理部５６によって保持されているページデータについても、サムネール処理部５７によりサムネール画像ＳＮ２が生成され、同じく実行ウィンドウＷ上の所定の表示領域ＡＲ２に表示される。
【００３７】
ページ差替処理を行う場合は、表示領域ＡＲ１に表示されている差替対象のページのサムネール画像と、表示領域ＡＲ２に表示されている差替候補ページのサムネール画像とを、ともにマウス２３ａにてクリックした後、引き続きダブルクリックする。このとき、ページ差替処理部５１は、編集用一時データの内容を、ページ差替処理後の内容に書き換える。また、表示領域ＡＲ１上のサムネール画像ＳＮ１によるページ配列も、この書き換えられた編集用一時データの内容に従って、処理後の状態に直ちに更新される。この書き換えと更新は、ページ配列処理における他の処理においても、各部において同様にその内容に対応して行われるので、以下においてはその説明を省略する。
【００３８】
ページ挿入処理を行う場合は、マウス２３ａにより、挿入候補となる任意のページデータのサムネール画像ＳＮ２をドラッグして、表示領域ＡＲ１内の所望する挿入位置（挿入したい箇所の直前ページのサムネール画像ＳＮ１の下方ないしは右方）においてドロップする。
【００３９】
ページ削除処理を行う場合は、表示領域ＡＲ１上で削除対象となるページのサムネール画像ＳＮ１をマウス２３ａにてダブルクリックする。ページ入換処理を行う場合は、入換を行いたい一方の該当ページのサムネール画像ＳＮ１をマウス２３ａにてクリックした後、引き続きもう一方をダブルクリックする。
【００４０】
白紙挿入処理を行う場合は、白紙を挿入したい箇所の直前ページのサムネール画像ＳＮ１をマウス２３ａにてクリックした後、実行ウィンドウＷに備わる白紙挿入ボタンＢ１をクリックする。
【００４１】
ジョブデータに対し、所望する種々のページ配列処理を上述のように行った後、オペレータが実行ウィンドウＷ上の「ＦｉｘＪｏｂ」ボタンＢ２をクリックすると、それまでに行われたページ配列処理が確定される。処理の対象が、まだＲＩＰ処理のなされていないジョブデータである場合には、その時点における編集用一時データが新たなページ配列情報となるとともに、それぞれの処理に応じてジョブデータが書き換えられて、記憶部２２ないしはＲＡＭ２１ｃに記憶される。例えば、ページ差替処理であれば、ジョブデータにおいて差替対象のページの内容に相当する情報が、差し替えるべきページデータについての情報と差し替られる。ページ挿入処理であれば、挿入されるページについてのレイアウト情報と関連付け情報とがジョブデータに付加される。ページ削除処理であれば、ジョブデータの内容から、該当するページについてのレイアウト情報と関連付け情報とが削除される。さらに、操作部２３を通じた、オペレータによる所定の指示に従って、ジョブデータは例えばＰＤＦ形式のデータとして記憶部２２ないしはＲＡＭ２１ｃに記憶される。あるいはさらに、印刷装置３へと受け渡されることになる。
【００４２】
一方、ＲＩＰ処理後のジョブデータの差替処理を行った場合は、ジョブデータそのものについて処理を行っているのではないので、ジョブデータの書き換えに代わり、後述するように、「ＦｉｘＪｏｂ」ボタンＢ２のクリックとともにジョブチケット更新部６２においてジョブチケットの追記生成が行われることになる。
【００４３】
なお、キャンセルボタンＢ３がクリックされると、それまでのページ配列処理はすべて無効となる。
【００４４】
ジョブチケット処理部６は、ジョブデータにおいてページ差替処理が必要になったときに印刷装置３から送付されてくる、当該ジョブデータの印刷を行う際の設定情報が記述されたジョブチケット（後述する）に関連した、所定の処理を行うために備わる。ジョブチケット処理部６は、ジョブチケット選択部６１と、ジョブチケット更新部６２とを備えている。
【００４５】
ジョブチケット選択部６１は、印刷装置３から送られた一ないし複数のジョブチケットのうち、処理対象とするジョブチケットの選択と、処理の実行指示とを担う。図示しない選択画面において、いずれかのジョブチケットが選択されると、当該ジョブチケットに対応するジョブデータのサムネール画像が印刷装置３からネットワークＮを介して送付されてくる。当該サムネール画像は、上述したようなページ配列処理部５におけるページ配列処理に供されることになる。
【００４６】
ジョブチケット更新部６２は、ページ差替処理が確定した際に、ジョブチケットに対し、当該ページ差替処理後のジョブデータないしはジョブの内容を付加する処理を担う。これに関する詳細は後述する。
【００４７】
図３は、印刷装置３の制御部３１において実現される機能を説明するための図である。制御部３１においては、記憶部３２に記憶されている所定のプログラム３２ａが実行されることにより、ＣＰＵ３１ａ、ＲＯＭ３１ｂ、およびＲＡＭ３１ｃの作用によって、ジョブ登録部７と、ジョブチケット発行部８と、サムネール生成部９と、ＲＩＰ処理部１０と、印刷制御部１１とが実現される。
【００４８】
ジョブ登録部７は、印刷データ作成装置２において作成された後、ネットワークＮを介して、あるいは図示しない記録媒体から読み込まれることによって供されるジョブデータを、記憶部３２に保存する処理を担う。その際、ジョブ登録部７は、それぞれのジョブデータに対応したジョブフォルダＪＦを記憶部３２に生成させ、その中に、当該ジョブデータを格納する。なお、各ジョブフォルダＪＦには、ＲＩＰ処理されたジョブデータ（ＲＩＰ処理済みデータ）も格納される。さらにジョブフォルダＪＦには、ＲＩＰ処理済みデータについてのページ差替処理に際して印刷データ作成装置２から送付されてきたジョブチケットと、差し替え用のページデータも格納される。
【００４９】
ジョブチケット発行部８は、ＲＩＰ処理済みデータについてページ差替処理を行う場合に、差替処理がなされる前に定められたジョブデータおよびジョブの内容を記述したジョブチケットを発行する。図４は、ジョブチケットを例示的に示す図であり、図４（ａ）が差替処理前のジョブチケットＪＴ１を示している。
【００５０】
図４（ａ）のジョブチケットＪＴ１は、７つのレコードＲ１〜Ｒ７を含み、それぞれのレコードの項目名（インデックス）とその設定内容とはタブで区切られ、それぞれのレコードは改行コードで区切られているテキストファイルとして与えられている。ＲＩＰ処理部１０や印刷制御部１１においては、インデックスとそれに続く設定内容がサーチされ、それぞれのレコードの設定内容に従った処理が実行されるので、レコードの配列順序は入れ替わっていてもよい。あるいは、ジョブチケットの記述書式も図４（ａ）の例には限定されず、所定のルールさえ定めておけば、例えば、ＣＳＶ（Ｃｏｍｍａ　Ｓｅｐａｒｅｔｅｄ　Ｖａｌｕｅ）形式などが用いられてもよい。
【００５１】
図４（ａ）のジョブチケットＪＴ１においては、レコードＲ１〜Ｒ４がジョブデータの内容を示すレコードとなっている。すなわち、レコードＲ１は当該ジョブチケットの対象ジョブの名称がＪＯＢ１であることを、レコードＲ２はＪＯＢ１において実行されるジョブデータは２０ページ分のデータであることを、レコードＲ３はジョブＪＯＢ１の用紙方向が縦置きであることを、レコードＲ４は印刷対象となる用紙のサイズがＡ４であることを示している。これに対し、レコードＲ５〜Ｒ７は、当該ジョブにおいて用いる設定を示すレコードとなっている。すなわち、レコードＲ５はジョブチケットＪＴ１を受け取った後直ちに印刷を実行することを、レコードＲ６は印刷部数が１０部であることを、レコードＲ７は印刷時に利用する給紙トレイが２番のトレイ（２つ目の給紙部３７ａ）であることを示している。
【００５２】
サムネール生成部９は、前述したように、ＲＩＰ処理されたジョブデータの差替処理を行うに際し、印刷データ作成装置２からの要求に応じて、当該ジョブデータのサムネール画像を生成する。その際は、単なる画素の平均化や間引きではなく、縮小されてもページの内容の把握が容易であるようなアルゴリズムによってサムネール画像が生成されることが望ましい。
【００５３】
ＲＩＰ処理部１０は、ジョブデータを、印刷機において処理可能なラスターデータとするためのＲＩＰ処理を担う。オペレータの操作部３３を通じた指示に応じて、ジョブフォルダＪＦに格納されている例えばＰＤＦ形式を有するジョブデータを、ラスター（ビットマップ）形式のデータに変換する処理が行われる。また、後述するように、ジョブデータの一部を差し替える場合は、印刷データ作成装置２から新たに送付されてきた差し替え分のジョブデータのみをＲＩＰ処理する。ＲＩＰ処理には、公知の技術を利用することができる。
【００５４】
印刷制御部１１は、印刷部３７における印刷の実行を制御するために備わる。オペレータが操作部３３を操作することにより、印刷制御部１１の作用によって印刷処理メニューが表示部３４に表示される。オペレータの操作によって実行対象のジョブが選択され、所定の印刷設定が定められると、印刷制御部１１は、当該ジョブに対応したジョブフォルダＪＦに格納されているＲＩＰ処理済みのラスターデータを読み出し、印刷部３７の各部を制御する。これにより、印刷が行われることになる。差替処理を行ったジョブデータについての印刷を実行する場合は、印刷データ作成装置２にて更新され後、ジョブフォルダＪＦ内に格納されているジョブチケットに従って印刷処理が実行される。すなわち、差し替え対象となっていないページについては差し替え前のジョブデータを用い、差し替えられたページについてはジョブフォルダＪＦに別個に保存されているＲＩＰ処理済みのページデータを用いて印刷が実行されることになる。
【００５５】
＜差替処理のフロー＞
次に、本発明におけるジョブデータの差替処理について説明する。図５は、差替処理のフローを、印刷データ作成装置２における処理と印刷装置３における処理とに分けつつ示す図である。
【００５６】
当該差替処理は、印刷装置３においてあらかじめＲＩＰ処理されたうえで、処置のジョブフォルダＪＦに保存されているジョブデータによる印刷を、再び実行するにあたって、当該ジョブデータの内容に差し替えの必要性がある場合に、その差し替えを実行する処理である。
【００５７】
再度の印刷をしようとするジョブデータについて差し替えの必要があると判断される場合、差し替え用の新たなページデータがあらかじめ用意され記憶部２２に保存されたうえで、差し替えのためのジョブチケットの要求が、印刷データ作成装置２から印刷装置３に与えられる（ステップＳ１ａ）。なお、これに代わり、印刷装置に直接に差し替え指示を行ってもよい（ステップＳ１ｂ）。
【００５８】
印刷装置３は、差し替え指示を受けると、ジョブチケット発行部８により処理対象となったジョブデータについてのジョブチケットＪＴ１（図４（ａ））を生成する（ステップＳ２）。生成されたジョブチケットＪＴ１は、通信部３６を通じ、ネットワークＮを介して、印刷データ作成装置２へと送信される。
【００５９】
印刷データ作成装置２は、通信部２６によって受信したジョブチケットＪＴ１をいったん記憶部２２に保存する。印刷データ作成装置２における差替処理、すなわちページ差替処理は、ジョブチケット選択部６１において当該ジョブチケットＪＴ１が選択され、その内容が読み込まれることにより開始される（ステップＳ３）。
【００６０】
ジョブチケットＪＴ１の内容が読み込まれると、ジョブチケット処理部６においてその各レコードの記述内容が解析される。図４（ａ）の場合であれば、７つのレコードＲ１〜Ｒ７の記述内容が解析され、ページ配列処理に必要な情報が取得されることになる。まずは、レコードＲ１に記載されているジョブ名「ＪＯＢ１」が取得される。これに応じて、サムネール処理部５７がただちに、ジョブ名「ＪＯＢ１」に対応するジョブデータのサムネール画像を印刷装置３に対し要求する（ステップＳ４）。なお、ジョブ名は、ジョブデータのファイル名と必ずしも一致している必要はない。印刷装置３は、サムネール画像の要求を受け付けると、当該ジョブデータからサムネール画像を生成し、これを印刷データ作成装置２へと送信する（ステップＳ５）。このサムネール画像を受け取って、表示部２４に表示させることにより、ページ差替処理が可能となる（ステップＳ６）。
【００６１】
図６は、印刷データ作成装置２の表示部２４に表示された、ページ差替処理の実行ウィンドウＷを示す図である。また、図７は、図６において差し替えの対象となっているページの差し替え前後の印刷内容を拡大して示す図である。
【００６２】
いま、図６においては、サムネール処理部５７が印刷装置３に対し「ＪＯＢ１」なるジョブ名に対応するサムネール画像を要求した結果、ファイル名記載欄ＦＮ１にファイル名が記載されている、「ｍａｎｕａｌ１．ｐｄｆ」なるジョブデータの１６ページ目から２０ページ目までのサムネール画像ＳＮ１が、表示領域ＡＲ１に表示されている。また、その左側の表示領域ＡＲ２には、ページ差し替え候補（ページ挿入候補）となるページデータとして、ファイル名記載欄ＦＮ２およびＦＮ３にファイル名が記載されている「ｎｅｗｎａｍｅ．ｐｄｆ」および「ｍａｎｕａｌ２．ｐｄｆ」なるページデータのサムネール画像ＳＮ２が、表示されている。なお、表示領域ＡＲ２へのページデータの追加は、「挿入ページの選択」ボタンＢ４をマウス２３ａによってクリックした後、所定の操作を行うことによって可能である。
【００６３】
ここで、「ｍａｎｕａｌ１．ｐｄｆ」なるジョブデータの２０ページ目を新たなページと差し替えるものとする。図６においては、当該ページに対応するサムネール画像ＳＮ１ａが選択され、ページ番号が反転表示されている状態を示している。また、図７（ａ）が拡大表示した当該ページＰ１である。そして、「ｎｅｗｎａｍｅ．ｐｄｆ」なるページデータが差し替え候補のファイルであるとする。図６においては、「ｎｅｗｎａｍｅ．ｐｄｆ」のサムネール画像ＳＮ２ａが選択され、そのページ番号とさらにファイル名とが反転表示された状態を示している。また、図７（ｂ）が拡大表示した当該ページＰ２である。
【００６４】
オペレータが図６に示すように差し替え前後のページをマウス２３ａにて選択して、さらにダブルクリックすることにより、ジョブデータ「ｍａｎｕａｌ１．ｐｄｆ」の２０ページ目のサムネール画像ＳＮ１ａは、「ｎｅｗｎａｍｅ．ｐｄｆ」の（１ページ目の）ページデータと置き換えられる。
【００６５】
ただし、この処理は、ＲＡＭ２１ｃに処理後の内容を編集用一時データとして一時的に記憶することによって、あくまでも仮想的にページ配列を変更したに過ぎず、ジョブデータそのものの内容を変更したわけではない。差替処理の内容は、所望する差替処理を終了し、問題のないことが確認された後、オペレータがマウス２３ａにて「ＦｉｘＪｏｂ」ボタンＢ２をクリックすることにより確定されることになる（ステップＳ７）。
【００６６】
「ＦｉｘＪｏｂ」ボタンＢ２がクリックされると、ジョブチケット更新部６２において、差し替え前のジョブチケットＪＴ１と、編集用一時データとを元に、差替処理後のジョブの内容を記述するジョブチケットＪＴ２が生成される。図４（ｂ）が、図４（ａ）のジョブチケットＪＴ１に基づき、上述の差替処理について記述したジョブチケットＪＴ２を示す図である。図４（ｂ）のジョブチケットＪＴ２は、１１項目のレコードＲ１１〜Ｒ２１から構成されている。このうち、レコードＲ１１〜Ｒ１７は、ジョブチケットＪＴ１の記述内容をそのまま引き継いでいる。そして、レコードＲ１８〜Ｒ２１の４項目が、ジョブチケット更新部６２において追記された内容である。すなわち、これらの項目より、２０ページ目を「ｎｅｗｎａｍｅ．ｐｄｆ」なるページデータと差し替えて処理すること、差し替えに用いたアプリケーションが「差分編集ｐｌｕｇ−ｉｎ」（差替処理を実現するプログラム２２ｂの名称）であること、最終的な編集日時が２００２年８月１２日の８時４０分であることが情報として印刷装置３に提供されることになる。なお、レコードＲ２１として「最終編集日時」を記述することで、例えば、複数のジョブチケットが発行された場合でも、最新のジョブチケットを参照して印刷を行うことができる。
【００６７】
なお、差し替え用のページデータのデータ形式が元のジョブデータのデータ形式と異なる場合、例えば、元のジョブデータがＰＤＦ形式であるのに対し、差し替え用のページデータがＥＰＳ（Ｅｎｃａｐｓｕｌａｔｅｄ　ＰｏｓｔＳｃｒｉｐｔ）形式のデータである場合は、「ＦｉｘＪｏｂ」ボタンＢ２がクリックされるとともに、あるいは、その後の所定の操作によって、差し替え用のページデータも元のジョブデータと同じデータ形式に変換される。
【００６８】
ジョブチケットの更新がなされると、当該ジョブチケットＪＴ２と、差し替え用のページデータ「ｎｅｗｎａｍｅ．ｐｄｆ」とが、印刷装置３へと転送される（ステップＳ８）。印刷装置３においては、これらのデータを受け取ると、対応するジョブデータが保存されているジョブフォルダＪＦにこれらを合わせて格納する。これにより、次回の印刷においては、格納されたジョブチケットＪＴ２を参照してジョブが実行されることになり、いわば、ジョブが再登録されたことになる（ステップＳ９）。
【００６９】
ジョブフォルダＪＦに新たに保存されたページデータ「ｎｅｗｎａｍｅ．ｐｄｆ」には、ＲＩＰ処理が施される（ステップＳ１０）。これによって、差し替え後のジョブの実行、すなわち印刷処理が可能となる（ステップＳ１１）。印刷の実行指示がオペレータによって与えられると、印刷装置３はジョブチケットＪＴ２に基づいて、「ＪＯＢ１」なるジョブを実行する。すなわち、「ｍａｎｕａｌ１．ｐｄｆ」なるジョブデータの１ページ目から１９ページ目までを記憶部３２に記憶されたＲＩＰ処理済みのジョブデータで印刷し、さらに２０ページ目を「ｎｅｗｎａｍｅ．ｐｄｆ」についてステップＳ１０でＲＩＰ処理したジョブデータに基づいて印刷して、２０ページからなるＡ４縦置きの印刷物を１０部作成する。
【００７０】
以上、説明したように、本発明においては、いったんＲＩＰ処理したジョブデータについて、一部を差し替えて印刷を行いたい場合に、まず印刷装置３がジョブチケットを発行する。印刷データ作成装置２において、当該ジョブチケットの内容に差し替え用のページデータの情報を追記し、差し替え用のページデータと共にこれを印刷装置に送信する。印刷装置３では、受け取った差し替え用のページデータのみに新たにＲＩＰ処理を施し、さらに、ジョブチケットに従って、差替処理後の印刷を実行する。これにより、差し替えに関係のない印刷データを再度ＲＩＰ処理する必要がなくなり、差し替え印刷の処理の効率化と、コストダウンとが実現されることになる。また、ページ差替処理を含む処理をサムネール画像を利用して行うことにより、印刷データ作成装置と印刷装置との間で、ジョブデータそのものをやりとりすることなくページ差替処理を行えるので、データ容量の大きい画像データ等をネットワークにて転送することによりトラフィックへの負荷をかけることなく、ページ差替処理を行うことができる。
【００７１】
＜変形例＞
ＲＩＰ処理されたジョブデータについてのページ差替処理を行う際、ページ挿入処理、ページ入換処理、ページ削除処理、あるいは白紙挿入処理など、他のページ配列処理をも行ってもよい。これらの処理内容についても、ジョブチケットにおいて所定の記載ルールに基づいて記載すれば、印刷装置３においてこれを参照した印刷処理が行われる。なお、白紙挿入の場合、実体部分のないページデータが白紙データとして挿入されることになる。また、ジョブチケットに記述されている印刷設定の変更についても、ページ差替処理とともに行ってもよい。
【００７２】
上述の実施の形態では、印刷システム１において印刷データ作成装置２と印刷装置３とが異なる装置として備わり、ネットワークを介する構成であったが、印刷装置が印刷データ作成装置の機能を備えている態様であってもよい。
【００７３】
【発明の効果】
以上、説明したように、請求項１ないし請求項５の発明によれば、印刷物に対して、差し替え、挿入、削除、入換など、ページ単位の再配列処理を行って新たな印刷物を作成する際に、印刷データ作成装置が変更内容を第２ジョブチケットに記述し、印刷装置は当該第２ジョブチケットの記述内容を参照することにより当該処理前の第１の印刷用データをも利用して印刷を行うことができるので、新たに全ての印刷用データを作成し直す必要がなくなる。
【００７４】
また、請求項２ないし請求項４の発明によれば、変更に関係ないページについては、すでにＲＩＰ処理された印刷用データを用いることができるので、ＲＩＰ処理時間の削減が可能となる。
【００７５】
また、請求項３および請求項４の発明によれば、印刷データ作成装置と印刷装置との間のデータの授受が容易になり、処理効率が向上する。
【００７６】
また、請求項４の発明によれば、印刷物の再配列処理をサムネール画像により内容を視認しつつ行うことができる。また、印刷データ作成装置と印刷装置との間で印刷用データそのものをやりとりしないので、ネットワークのトラフィックに係る負荷を低減することができる。
【００７７】
また、請求項５ないし請求項７、および請求項１３の発明によれば、差し替え処理の内容を第２ジョブチケットに記述し、印刷装置は当該第２ジョブチケットの記述内容を参照することにより当該処理前の第１の印刷用データをも利用して印刷を行うことができるので、新たに全ての印刷用データを作成し直す必要がなく、印刷物のページ差し替え処理を効率よく実行することができる。
【００７８】
また、請求項７の発明によれば、差し替えに関係ないページについては、すでにＲＩＰ処理された印刷用データを用いることができるので、ＲＩＰ処理時間の削減が可能となる。
【００７９】
また、請求項８、請求項９、請求項１４、および請求項１５の発明によれば、いったん印刷用データが作成されラスタライズ処理されている印刷物に対して、差し替え、挿入、削除、入換などのページの再配列処理を行って新たな印刷物を作成する際に、新たに印刷用データを作成し直す必要がなくなる。
【００８０】
また、請求項９の発明によれば、印刷物の再配列処理をサムネール画像により内容を視認しつつ行うことができる。
【００８１】
また、請求項１０ないし請求項１２、および請求項１６の発明によれば、いったん印刷用データが作成されラスタライズ処理されている印刷物に対して、差し替え、挿入、削除、入換などのページの再配列処理を行って新たな印刷物を作成する際に、第２ジョブチケットの記述内容を参照することにより当該処理前の第１の印刷用データをも利用して印刷を行うことができるので、新たに全ての印刷用データを作成し直す必要がなくなる。
【００８２】
また、請求項１１および請求項１２の発明によれば、差し替えに関係ないページについては、すでにＲＩＰ処理された印刷用データを用いることができるので、ＲＩＰ処理時間の削減が可能となる。
【００８３】
また、請求項１２の発明によれば、印刷物の再配列処理に際して、印刷用データそのものをやりとりしなくてすみ、ネットワークのトラフィックに係る負荷を低減することができる。
【図面の簡単な説明】
【図１】印刷システム１の構成の概略を示す図である。
【図２】印刷データ作成装置２の制御部２１において実現される機能を説明するための図である。
【図３】印刷装置３の制御部３１において実現される機能を説明するための図である。
【図４】ジョブチケットを例示的に示す図である。
【図５】ジョブデータの差替処理のフローを示す図である。
【図６】表示部２４に表示された、ページ差替処理の実行ウィンドウＷを示す図である。
【図７】ページの差し替え前後の印刷内容を拡大して示す図である。
【符号の説明】
１　印刷システム
２　印刷データ作成装置
３　印刷装置
ＡＲ１　（ジョブデータの）表示領域
ＡＲ２　（候補データの）表示領域
ＦＮ１〜ＦＮ３　ファイル名記載欄
ＪＦ　ジョブフォルダ
ＪＴ１、ＪＴ２　ジョブチケット
Ｎ　ネットワーク
Ｒ１〜Ｒ１７　レコード
ＳＮ１、ＳＮ２　サムネール画像
Ｗ　実行ウィンドウ
【図１】
2004078761.tif 000003
【図２】
2004078761.tif 000004
【図３】
2004078761.tif 000005
【図４】
2004078761.tif 000006
【図５】
2004078761.tif 000007
【図６】
2004078761.tif 000008
【図７】
2004078761.tif 000009